【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
表示部に表示された画像領域の選択情報の入力に基づき、選択画像領域に含まれる被写体を合焦対象としたフォーカス制御を実行するフォーカス制御部を有し、
前記フォーカス制御部は、
ユーザーの操作情報に基づいてフォーカスレンズの駆動速度を決定し、決定したフォーカスレンズ駆動速度でフォーカスレンズを移動させるフォーカス制御を行う撮像制御装置。
【請求項２】
前記フォーカス制御部は、
前記表示部に表示された合焦済みの第１画像領域から次の合焦対象の第２画像領域へのユーザーによるなぞり時間に応じてフォーカスレンズの駆動時間を決定し、決定したフォーカスレンズの駆動時間をフォーカスレンズ移動時間とするフォーカス制御を行う請求項１に記載の撮像制御装置。
【請求項３】
前記フォーカス制御部は、
前記決定したフォーカスレンズの駆動時間で、前記第２画像領域の被写体に対する合焦処理が完了するようにフォーカスレンズの駆動速度を決定し、決定したフォーカスレンズ駆動速度でフォーカスレンズを移動させる請求項２に記載の撮像制御装置。
【請求項４】
前記フォーカス制御部は、
前記表示部に表示された次の合焦対象の画像領域に対するユーザーによるタッチ継続時間に応じてフォーカスレンズの駆動時間を決定し、決定したフォーカスレンズの駆動時間をフォーカスレンズ移動時間とするフォーカス制御を行う請求項１に記載の撮像制御装置。
【請求項５】
前記フォーカス制御部は、
前記決定したフォーカスレンズの駆動時間で、前記次の合焦対象の画像領域の被写体に対する合焦処理が完了するようにフォーカスレンズの駆動速度を決定し、決定したフォーカスレンズ駆動速度でフォーカスレンズを移動させる請求項４に記載の撮像制御装置。
【請求項６】
前記フォーカス制御部は、
前記表示部に表示された合焦済みの第１画像領域から次の合焦対象の第２画像領域へのユーザーによるなぞり時間と単位時間当たりのなぞり量に応じてフォーカスレンズの駆動時間と駆動速度を決定し、決定したフォーカスレンズの駆動時間と駆動速度に従ってフォーカスレンズを移動させるフォーカス制御を行う請求項１に記載の撮像制御装置。
【請求項７】
前記フォーカス制御部は、
前記決定したフォーカスレンズの駆動時間と駆動速度で、前記第２画像領域の被写体に対する合焦処理が完了するようにフォーカスレンズを移動させるフォーカス制御を行う請求項６に記載の撮像制御装置。
【請求項８】
前記フォーカス制御部は、
前記表示部に表示された合焦済みの第１画像領域から次の合焦対象の第２画像領域へのユーザーによるなぞり時間の総時間を複数に分割し、分割区分単位のなぞり量に応じてフォーカスレンズの分割区分単位の駆動速度を決定し、決定したフォーカスレンズの分割区分単位の駆動速度に従ってフォーカスレンズを移動させるフォーカス制御を行う請求項６に記載の撮像制御装置。
【請求項９】
前記撮像素子は、位相差検出方式によるフォーカス制御を実行する位相差検出画素を有するＡＦ領域を多数備えた構成であり、
前記フォーカス制御部は、
ユーザーの表示部に対する接触領域に対応するＡＦ領域を合焦対象のＡＦ領域として選択する請求項１に記載の撮像制御装置。
【請求項１０】
撮像制御装置において実行するフォーカス制御方法であり、
フォーカス制御部が、表示部に表示された画像領域の選択情報の入力に基づき、選択画像領域に含まれる被写体を合焦対象としたフォーカス制御を実行するフォーカス制御ステップを実行し、
前記フォーカス制御ステップは、
ユーザーの操作情報に基づいてフォーカスレンズの駆動速度を決定し、決定したフォーカスレンズ駆動速度でフォーカスレンズを移動させるフォーカス制御を行うステップであるフォーカス制御方法。
【請求項１１】
撮像制御装置においてフォーカス制御を実行させるプログラムであり、
フォーカス制御部に、表示部に表示された画像領域の選択情報の入力に基づき、選択画像領域に含まれる被写体を合焦対象としたフォーカス制御を実行するフォーカス制御ステップを実行させ、
前記フォーカス制御ステップにおいて、
前記フォーカス制御部に、ユーザーの操作情報に基づくフォーカスレンズの駆動速度の決定処理と、決定したフォーカスレンズ駆動速度でのフォーカスレンズ移動処理によるフォーカス制御を行わせるプログラム。
【手続補正２】
【補正対象書類名】明細書
【補正対象項目名】発明の名称
【補正方法】変更
【補正の内容】
【発明の名称】撮像制御装置、およびフォーカス制御方法、並びにプログラム
【手続補正３】
【補正対象書類名】明細書
【補正対象項目名】０００１
【補正方法】変更
【補正の内容】
【０００１】
本発明は、撮像制御装置、およびフォーカス制御方法、並びにプログラムに関する。さらに詳細には、被写体に対する高度なフォーカス制御を行う撮像制御装置、およびフォーカス制御方法、並びにプログラムに関する。
【手続補正４】
【補正対象書類名】明細書
【補正対象項目名】００１４
【補正方法】変更
【補正の内容】
【００１４】
本発明は、例えば上述の状況に鑑みてなされたものであり、例えば、特定の被写体に対するピント合わせ時間や速度をユーザーの好みに応じて自在に設定可能とした高度なフォーカス制御を行う撮像制御装置、およびフォーカス制御方法、並びにプログラムを提供することを目的とする。
【手続補正５】
【補正対象書類名】明細書
【補正対象項目名】００３０
【補正方法】変更
【補正の内容】
【００３０】
以下、図面を参照しながら本発明の撮像制御装置、およびフォーカス制御方法、並びにプログラムの詳細について説明する。説明は、以下の項目に従って行う。
１．撮像装置の構成例について
２．ＡＦ領域（オートフォーカス領域）の選択モードについて
３．撮像装置の実行するフォーカス制御シーケンスについて
４．ＡＦ領域選択とＡＦ駆動時間設定の詳細実施例について
４−１．（実施例１）ＡＦ領域間のユーザーの指の移動時間に応じてフォーカスレンズの駆動速度を制御するＡＦ制御
４−２．（実施例２）新たな合焦対象とするＡＦ領域に対するユーザーの指の接触時間に応じてフォーカスレンズの駆動速度を制御するＡＦ制御
４−３．（実施例３）ＡＦ領域間のユーザーの指の移動量（距離）に応じてフォーカスレンズの駆動速度を制御するＡＦ制御
なお、以下の実施例で説明する撮像装置は、本開示の撮像制御装置の一つの具体例である。
【手続補正６】
【補正対象書類名】明細書
【補正対象項目名】００４１
【補正方法】変更
【補正の内容】
【００４１】
第１位相差検出画素２１１ａにおける第１開口部ＯＰ１は、受光素子ＰＤの中心を通り光軸ＬＴに平行な中心軸ＣＬを基準（起点）にして特定方向（ここでは、右方向（＋Ｘ方向））に偏った位置に設けられている。また、第１位相差検出画素２１１ａにおける第２開口部ＯＰ２は、中心軸ＣＬを基準にして上記特定方向とは反対の方向（「反特定方向」とも称する）に偏った位置に設けられている。
【手続補正７】
【補正対象書類名】明細書
【補正対象項目名】００４５
【補正方法】変更
【補正の内容】
【００４５】
また、射出瞳ＥＹの左瞳領域Ｑｂを通過した光束Ｔｂは、位相差検出画素ｂに対応するマイクロレンズＭＬおよび第１遮光板ＡＳ１の第１開口部ＯＰ１を通過し、さらに第２遮光板ＡＳ２によって制限された後、第２位相差検出画素ｂの受光素子ＰＤで受光される。
【手続補正８】
【補正対象書類名】明細書
【補正対象項目名】００５８
【補正方法】変更
【補正の内容】
【００５８】
［３．撮像装置の実行するフォーカス制御シーケンスについて］
次に、撮像装置の実行するフォーカス制御シーケンスについて、図８以下のフローチャートを参照して説明する。
なお、以下に説明するフローは、図３に示す制御部１１０やＡＦ制御部１１２ａの制御の下、例えばメモリ（ＲＯＭ）１１９に格納されたプログラムに規定されたシーケンスに従って実行される。
【手続補正９】
【補正対象書類名】明細書
【補正対象項目名】００６１
【補正方法】変更
【補正の内容】
【００６１】
ローカルモードでは、撮影者が選択した１点のＡＦ領域でオートフォーカスを行う。すなわち、図４に示す多数の領域１５１ａ〜１５１ｚから撮影者が選択した１点のＡＦ領域１５１ｘに含まれる被写体を合焦対象、すなわちピント合わせの対象として選択したオートフォーカスを行う。
【手続補正１０】
【補正対象書類名】明細書
【補正対象項目名】０１４３
【補正方法】変更
【補正の内容】
【０１４３】
すなわち、図１５に示す第１ＡＦ枠４３１の被写体に対する合焦状態から、第２ＡＦ枠４３２の被写体に対する合焦状態へ設定するため、フォーカスレンズは第２駆動速度：Ｖ（Ｌ）でゆっくり移動する。この結果、第１ＡＦ枠４３１の被写体に対する合焦状態から、第２ＡＦ枠４３２の被写体に対する合焦状態への遷移時間がＴ（Ｌ）となり、第２ＡＦ枠４３２に対応するＡＦ領域の被写体に対してゆっくりとしたピントあ合わせが行われることになる。
【手続補正１１】
【補正対象書類名】図面
【補正対象項目名】図５
【補正方法】変更
【補正の内容】
【図５】
2012173531.tif 000001
【手続補正１２】
【補正対象書類名】図面
【補正対象項目名】図１５
【補正方法】変更
【補正の内容】
【図１５】
2012173531.tif 000002